(57)【要約】【課題】線径が異なる電線、先端にカラー付きのフェルールを圧着した電線などを電線挿入口から挿入しても、それらの電線の先端を端子板の導体部に接触するのを防止することができる電気機器の接続構造を提供する。【解決手段】内部に収納空間を設け、外部から収納空間に電線を挿入する電線挿入口３２ａ〜３２ｃを設けた外装部材５と、電気絶縁体で形成され電線挿入口から挿入された電線が位置する電線挿入空間２５，２７を設けた端子ブロックと、端子ブロックに組付けられた接点部１４と導体部１３とを有する端子板９と、端子ブロックに組付けられて電線挿入空間に配置され電線を弾性力で接点部に押し付けて端子板に電気的に接続する弾性部材７，８と、電気絶縁体で形成され、電線挿入口から挿入された電線の先端が端子板の導体部に接触するのを防止する接触防止部１９ａ，２０ａと、を備えている。【選択図】図１０
2019216032.tif 000002
【特許請求の範囲】
【請求項１】
内部に収納空間を設け、外部から前記収納空間に電線を挿入する電線挿入口を設けた外装部材と、
電気絶縁体で形成され、前記外装部材の前記収納空間に配置され、前記電線挿入口から挿入された前記電線が位置する電線挿入空間を設けた端子ブロックと、
前記端子ブロックに組付けられ、前記電線挿入空間に配置されて前記電線が挿入される方向に沿って配置された接点部と、前記接点部に接続され前記電線挿入口から挿入された前記電線の先端側に位置している導体部と、を有する端子板と、
前記端子ブロックに組付けられて前記電線挿入空間に配置され、前記電線挿入口から挿入された電線を弾性力で前記接点部に押し付けて前記端子板に電気的に接続する弾性部材と、
電気絶縁体で形成され、前記電線挿入口から挿入された前記電線の先端が前記端子板の前記導体部に接触するのを防止する接触防止部と、を備えていることを特徴とする電気機器の接続構造。
【請求項２】
前記接触防止部は、前記端子ブロックに一体に形成された部位であり、前記電線挿入口側を向いている前記導体部の面を覆うように配置されていることを特徴とする請求項１記載の電気機器の接続構造。
【請求項３】
前記接触防止部は、前記端子ブロックの前記電線挿入空間を形成する内壁であることを特徴とする請求項２記載の電気機器の接続構造。
【請求項４】
請求項１から請求項３の何れか一項に記載の電気機器の接続構造を備えていることを特徴とする回路遮断器。
【請求項５】
電気機器の端子部に着脱自在に接続する配線用接続器具であって、
内部に収納空間を設け、外部から前記収納空間に電線を挿入する電線挿入口を設けた外装部材と、
電気絶縁体で形成され、前記外装部材の前記収納空間に配置され、前記電線挿入口から挿入された前記電線が位置する電線挿入空間を設けた端子ブロックと、
前記端子ブロックに組付けられ、前記電線挿入空間に配置されて前記電線が挿入される方向に沿って配置された配置された接点部と、前記接点部に接続され電線挿入口から挿入された前記電線の先端側に位置している導体部と、前記導体部に接続され前記電気機器の端子部に着脱自在に接続される端子部側接続部と、を有する端子板と、
前記端子ブロックに組付けられ、前記電線挿入空間の前記電線が挿入される方向に沿って配置された接点部と、前記接点部に連結して前記電線の挿入方向の前方に位置している導体部と、前記導体部に連結して前記電気機器の前記端子部に着脱自在に接続される端子部側接続部と、を有する端子板と、
前記端子ブロックに組付けられて前記電線挿入空間に配置され、前記電線挿入口から挿入された電線を弾性力で前記接点部に押し付けて前記端子板に電気的に接続する弾性部材と、
電気絶縁体で形成され、前記電線挿入口から挿入された前記電線の先端が前記端子板の前記導体部に接触するのを防止する接触防止部と、を備えていることを特徴とする配線用接続器具。
【請求項６】
前記接触防止部は、前記端子ブロックに一体に形成された部位であり、前記電線挿入口側を向いている前記導体部の面を覆うように配置されていることを特徴とする請求項５記載の配線用接続器具。
【請求項７】
前記接触防止部は、前記端子ブロックの前記電線挿入空間を形成する内壁であることを特徴とする請求項６記載の配線用接続器具。
【請求項８】
請求項５から請求項７の何れか一項に記載の配線用接続器具を備えていることを特徴とする回路遮断器。
【発明の詳細な説明】
【技術分野】
【０００１】
本発明は、電線を弾性保持する電気機器の接続構造、配線用接続器具及び回路遮断器に関する。
【背景技術】
【０００２】
近年、回路遮断器や電磁接触器などの電気機器では、電線を弾性保持する弾性部材を備えたスプリング端子が採用されてきている（例えば、特許文献１）。
特許文献１のスプリング端子は、電気機器のケースに設けた電線挿入口と、ケース内に配置され、電線が電線挿入口からケース内に挿入される方向に沿って接点部が一端に設けられている導電端子板と、ケース内に挿入された電線を弾性力で接点部側に押し付ける弾性部材とを備えている。
弾性部材は、被固定部と、被固定部の端部から円弧状に折り曲げた曲げ部を介して形成された保持部とを備えた電気導体である。そして、電線挿入口からケース内に挿入された電線が、導電端子板の接点板と弾性部材の保持部との間に入りこむと、曲げ部の弾性変形による弾性力によって、保持部の先端が電線を接点部側に押し付けて弾性保持する。
【先行技術文献】
【特許文献】
【０００３】
【特許文献１】特許第５５３９８０９号公報
【発明の概要】
【発明が解決しようとする課題】
【０００４】
ところで、一端側（接点部側）がＬ字状に形成されている導電端子板は、電線が挿通される方向に沿って配置した接点部に対して直交する方向に導体部が延在している。この導体部は、電線挿入口からケース内に挿入される電線の挿入方向前方に位置している。
ここで、電線挿入口から挿入された電線の先端が導体部に接触する場合、電線の先端が導体部に密着するような大きな荷重で電線を保持しないと、接触面積が小さいために接触抵抗が大きくなり、過電流が流れた際に、電線の先端及び導体部が溶着するおそれがある。
【０００５】
そこで、従来の構造では、電気機器のケースの電線挿入口にテーパ面を形成し、先端にカラー付きのフェルールが圧着されている電線を使用するときには、カラーがテーパ面に係合することで、電線のフェルールの先端が導体部に接触しない構造としている。
しかし、電気機器、特に回路遮断器で使用される電線は、前述した先端にカラー付きのフェルールを圧着したもの、その他に電線の先端にカラーが無いフェルールを圧着したもの、或いは先端にカラーやフェルールが装着されていない直の電線など複数種類の電線が使用されており、しかも、定格電流の違いによって異なる線径を有している。
【０００６】
したがって、電気機器のケースの電線挿入口に特定のカラーに対応したテーパ面を形成したとしても、複数種類の電線の先端を導体部に接触しない構造とするのは不可能である。
そこで、本発明は、複数種類の電線（線径が異なる、先端にカラー付きのフェルールを圧着したもの、先端にカラー無しのフェルールを圧着したもの、直の電線）を電線挿入口から挿入しても、それらの電線の先端を端子板の導体部に接触するのを防止することができる電気機器の接続構造、配線用接続器具及び回路遮断器を提供する。
【課題を解決するための手段】
【０００７】
上記目的を達成するために本発明に係る電気機器の接続構造は、内部に収納空間を設け、外部から収納空間に電線を挿入する電線挿入口を設けた外装部材と、電気絶縁体で形成され、外装部材の収納空間に配置され、電線挿入口から挿入された電線が位置する電線挿入空間を設けた端子ブロックと、端子ブロックに組付けられ、電線挿入空間に配置されて電線が挿入される方向に沿って配置された接点部と、接点部に接続され電線挿入口から挿入された電線の先端側に位置している導体部と、を有する端子板と、端子ブロックに組付けられて電線挿入空間に配置され、電線挿入口から挿入された電線を弾性力で接点部に押し付けて端子板に電気的に接続する弾性部材と、電気絶縁体で形成され、電線挿入口から挿入された電線の先端が端子板の前記導体部に接触するのを防止する接触防止部と、を備えている。
【０００８】
また、本発明に係る配線用接続器具は、電気機器の端子部に着脱自在に接続する配線用接続器具であって、内部に収納空間を設け、外部から収納空間に電線を挿入する電線挿入口を設けた外装部材と、電気絶縁体で形成され、外装部材の収納空間に配置され、電線挿入口から挿入された電線が位置する電線挿入空間を設けた端子ブロックと、端子ブロックに組付けられ、電線挿入空間に配置されて電線が挿入される方向に沿って配置された配置された接点部と、接点部に接続され電線挿入口から挿入された電線の先端側に位置している導体部と、導体部に接続され電気機器の端子部に着脱自在に接続される端子部側接続部と、を有する端子板と、端子ブロックに組付けられて電線挿入空間に配置され、電線挿入口から挿入された電線を弾性力で接点部に押し付けて端子板に電気的に接続する弾性部材と、電気絶縁体で形成され、電線挿入口から挿入された電線の先端が端子板の前記導体部に接触するのを防止する接触防止部と、を備えている。
【０００９】
また、本発明に係る回路遮断器は、上述した配線用接続器具を備えている。
【発明の効果】
【００１０】
本発明に係る電気機器の接続構造、配線用接続器具及び回路遮断器によれば、電気絶縁体で形成され、電線挿入口から挿入された電線の先端が端子板の導体部に接触するのを防止する接触防止部が配置されているので、線径が異なる電線、先端にカラー付きのフェルールを圧着した電線、先端にカラー無しのフェルールを圧着した電線、直電線などを電線挿入口から挿入しても、それらの電線の先端と端子板の導体部とが接触するのを防止することができる。したがって、通電時における電線の先端及び導体部の溶着などを確実に防止することができる。
【図面の簡単な説明】
【００１１】
【図１】本発明に係る回路遮断器を示す斜視図である。
【図２】本発明に係る配線用接続器具を示す斜視図である。
【図３】配線用接続器具を構成する端子カバー及び端子モジュールを示す図である。
【図４】端子モジュールを構成する端子ブロック、端子板、弾性部材を示す展開斜視図である。
【図５】端子ブロックを示す図である。
【図６】図５のＡ−Ａ線矢視図である。
【図７】配線用接続器具を端子カバーのカバー蓋体側から示した図である。
【図８】図７のＢ−Ｂ線矢視図である。
【図９】本発明の配線用接続器具で使用可能な電線の種類を示す図である。
【図１０】配線用接続器具に先端がカラー付きフェルールの電線を接続した状態を示す図である。
【発明を実施するための形態】
【００１２】
次に、図面を参照して、本発明の第１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１３】
［第１実施形態］
図１は、回路遮断器１に付属の配線用接続器具２ａ，２ｂを取り付けた状態を示す図である。
以下の説明では、空間内で互いに直交する三方向を、便宜的に、Ｘ方向、Ｙ方向及びＺ方向とする。
回路遮断器１は、３極型の主回路接点（不図示）と、短絡事故等で過電流が流れたときに主回路接点をトリップ状態に動作させる過電流引外し装置（不図示）と、主回路接点の開閉動作を行うトグルリンク機構（不図示）とが内蔵されている。
【００１４】
回路遮断器１のＸ方向の一端側が電源側（一次側又はライン側）であり、３極型の主回路側の接点端子（ねじ端子）に配線用接続器具２ａが着脱自在に取付けられている。また、回路遮断器１のＸ方向の他端側が負荷側（二次側又はロード側）であり、主回路側の接点端子（ねじ端子）に配線用接続器具２ａと同一構造の配線用接続器具２ｂが着脱自在に取り付けられている。
回路遮断器１の奥行き方向の上面にはレバー開口部３が形成されており、このレバー開口部３からトグルリンク機構を操作する操作レバー４が外部に突出している。
【００１５】
操作レバー４は、図１に示すようにレバー開口部３の長手方向の一端側が突出しているときには、トグルリンク機構が主回路接点を閉極（ＯＮ位置）としており、操作レバー４がレバー開口部３の長手方向の他端側に突出しているときには、トグルリンク機構が主回路接点を開極（ＯＦＦ位置）としている。
電源側の配線用接続器具２ａは、図２に示すように、端子カバー５と、この端子カバー５に組付けられる端子モジュール６と、を備えている。なお、負荷側の配線用接続器具２ｂは、電源側の配線用接続器具２ａと同一構造なので説明は省略する。
【００１６】
端子モジュール６は、図３及び図４に示すように、３個の第１板ばね７と、第１板ばね７に対して異なる形状の３個の第２板ばね８と、３個の端子板９と、端子ブロック１０と、を備えている。
第１板ばね７は、図４に示すように帯状の金属板であり、平板状の固定部７ａと、固定部７ａの長手方向端部との間に曲げ部７ｂを設けて略Ｖ字状に連続する平板状の電線保持部７ｃと、を備えている。
第２板ばね８は、第１板ばね７に対して形状が同一で大きさが大きい部材であり、平板状の固定部８ａと、固定部８ａの長手方向端部との間に曲げ部８ｂを設けて略Ｖ字状に連続する平板状の電線保持部８ｃと、を備えている。
【００１７】
端子板９は、図４に示すように、ねじ孔１１ａを設けたねじ接続部１１と、ねじ接続部１１から直角に折曲された第１導体部１２と、第１導体部１２からねじ接続部１１に対して平行に延在し、ねじ接続部１１から離間する方向に直角に折曲された第２導体部１３と、第１導体部１２に平行に対向するように第２導体部１３から直角に折曲された接点部１４と、を備えている。
端子板９のねじ接続部１１は、前述した回路遮断器１の主回路側の接点端子（ねじ端子）にねじ固定で接続される。
【００１８】
端子ブロック１０は、樹脂などの絶縁体で形成された部材であり、図５に示すように、略箱形状の第１〜第３ブロック１５〜１７がＹ方向に並んで形成されている。 
図５に示すように、第１ブロック１５には、内部空間をＹ方向の２つの空間に仕切る仕切り壁１８が形成されている。仕切り壁１８に仕切られた第１ブロック１５の内部の一方の空間は、壁面がＺ方向を向いた第１内壁１９が形成され、他方の空間にも、壁面がＺ方向を向いた第２内壁２０が形成されている。
また、第１ブロック１５の内部には、第１内壁１９の一端に第１ばね装着孔２１が形成され、第２内壁２０の一端に第２ばね装着孔２２が形成されている。
そして、第１ブロック１５の内部には、仕切り壁１８の先端であり、第１内壁１９及び第２内壁２０の他端の位置には、Ｚ方向に貫通する接点部装着孔２３が形成されている。
【００１９】
図６は、第１内壁１９の形状を示すものである。第１内壁１９は、第１ばね装着孔２１を形成した位置から接点部装着孔２３を形成した位置に向うに従い内部空間が徐々に狭い空間となるように傾斜した内壁である。
第１内壁１９の接点部装着孔２３側の先端は、Ｘ方向に延在する平面形状の端部１９ａとして形成されている。また、第１内壁１９の第１ばね装着孔２１側には、ばね支持部２４ａ，２４ｂが突出して形成されている。
ここで、第１ブロック１５の外壁、仕切り壁１８及び第１内壁１９で形成された空間を第１電線挿入空間２５と称する（図５及び図６参照）。
【００２０】
また、詳細には示さないが、第２内壁２０も、第２ばね装着孔２２を形成した位置から接点部装着孔２３を形成した位置に向うに従い内部空間が徐々に狭い空間となるように傾斜した内壁である。そして、第２内壁２０の接点部装着孔２３側の先端も、Ｘ方向に延在する平面形状の端部２０ａとして形成されている。また、第２内壁２０の第２ばね装着孔２２側には、ばね支持部２６ａ，２６ｂが突出して形成されている。
ここで、第１ブロック１５の外壁、仕切り壁１８及び第２内壁２０で形成された空間を第２電線挿入空間２７と称する（図５参照）。
【００２１】
第２ブロック１６及び第３ブロック１７も、第１ブロック１５と同一の形状で形成されている。
ここで、端子ブロック１０の第１ブロック１５に第１板ばね７を装着するには、図８に示すように、第１ブロック１５の第１ばね装着孔２１に、Ｚ方向の一方から第１板ばね７の固定部７ａを差込み、ばね支持部２４ａ，２４ｂが第１板ばね７の曲げ部７ｂの湾曲内側に位置するように配置する。これにより、電線保持部７ｃが第１電線挿入空間２５を横切るように第１板ばね７が装着される。
【００２２】
そして、第１ブロック１５に第２板ばね８を装着するには、Ｚ方向の一方から第２ばね装着孔２２に第２板ばね８の固定部８ａを差込み、ばね支持部２６ａ，２６ｂが第２板ばね８の曲げ部８ｂの湾曲内側に位置するように配置することで、電線保持部８ｃが第２電線挿入空間２７を横切るように第２板ばね８が装着される。
また、第１ブロック１５に端子板９を装着するには、図８に示すように、Ｚ方向の他方から接点部装着孔２３に端子板９の接点部１４を挿入することで、第１ブロック１５に端子板９が装着される。この際、Ｘ方向に延在する端子板９の第２導体部１３に、第１内壁１９の平面形状の端部１９ａと、第２内壁２０の平面形状の端部２０ａが面接触状態で当接する。
【００２３】
そして、上述した第１ブロック１５への第１板ばね７、第２板ばね８及び端子板９の装着と同様の手順で、第２ブロック１６及び第３ブロック１７に対する第１板ばね７、第２板ばね８及び端子板９の装着を行うことで、図３に示した端子モジュール６が組み立てられる。
一方、端子カバー５は、図３に示すように、端子モジュール６を収納するカバー本体３０と、カバー本体３０に一体化され、端子モジュール６をＺ方向の一方から覆うカバー蓋体３１と、を備えている。
【００２４】
図７は、端子カバー５のカバー本体３０に端子モジュール６を収納した状態でカバー蓋体３１から見た図であり、図８は図７のＢ−Ｂ線矢視図である。
図７に示すように、カバー蓋体３１には、３箇所の電線挿入口３２ａ〜３２ｃが、Ｙ方向に並んで形成されているとともに、隣接する電線挿入口３２ａ〜３２ｃの間には隔壁３３が設けられている。
電線挿入口３２ａは、小径孔３４及び大径孔３５の一部が重なってダルマ形状に形成された孔であり、他の電線挿入口３２ｂ，３２ｃも同一形状の孔で形成されている。
【００２５】
また、カバー蓋体３１には、３箇所の電線挿入口３２ａ〜３２ｃに対してＸ方向に近接する位置に、クランプ解除工具を挿通する複数の工具挿通孔３６が形成されている。
図８に示すように、電線挿入口３２ａの小径孔３４は第１電線挿入空間２５に連通している。この小径孔３４の第１電線挿入空間２５側の開口は、第１電線挿入空間２５に向うに従い小径のテーパ面３７として形成されている。
電線挿入口３２ａの小径孔３４から電線が第１電線挿入空間２５に向けて挿入されると、電線の挿入方向の前方には、第１電線挿入空間２５を形成している端子ブロック１０（第１ブロック１５）の第１内壁１９の端部１９ａが配置されている。
【００２６】
この第１内壁１９の端部１９ａが、端子板９の電線の挿入方向を横切るように配置された第２導体部１３との接触を防止している。
また、電線挿入口３２ａの大径孔３５は第２電線挿入空間２７に連通しており、この大径孔３５の第２電線挿入空間２７側の開口も、第２電線挿入空間２７に向うに従い小径となるテーパ面が形成されている。
そして、電線挿入口３２ａの大径孔３５から電線が第２電線挿入空間２７に向けて挿入されると、電線の挿入方向の前方には、第２電線挿入空間２７を形成している端子ブロック１０（第１ブロック１５）の第２内壁２０の端部２０ａが配置されている。
【００２７】
この第２内壁２０の端部２０ａが、端子板９の電線の挿入方向を横切るように配置された第２導体部１３との接触を防止している。
また、他の電線挿入口３２ｂ、３２ｃの小径孔３４及び大径孔３５も、電線挿入口３２ａの小径孔３４及び大径孔３５と同様に、第１電線挿入空間２５及び第２電線挿入空間２７に向けて連通している。そして、他の電線挿入口３２ｂ、３２ｃの小径孔３４及び大径孔３５から挿入された電線も、第１電線挿入空間２５を形成している第１内壁１９の端部１９ａが存在し、第２電線挿入空間２７を形成している第２内壁２０の端部２０ａが存在することで、端子板９の電線の挿入方向を横切るように配置された第２導体部１３との接触を防止している。
【００２８】
次に、図９（ａ）〜（ｃ）は、配線用接続器具２ａに接続される複数種類の電線を示すものである。
図９（ａ）、（ｂ）で示す電線３８、３９は、直径Ｄ１、Ｄ２が異なる（Ｄ１＜Ｄ２）撚り線であり、その先端がカラー３８ａ，３９ａの付いたフェルール３８ｂ，３９ｂで圧着されている。これらの電線３８，３９のフェルール３８ｂ，３９ｂの先端には、傾斜角度の異なるテーパ面が形成されている。
また、図９（ｃ）の電線４０は、先端にカラー付きのフェルールが装着されていない銅製の電線である。
【００２９】
なお、本発明に記載されている電線挿入口が、電線挿入口３２ａ〜３２ｃに対応し、本発明に記載されている外装部材が、端子カバー５に対応し、本発明に記載されている端子ブロックが、端子ブロック１０に対応している。また、本発明に記載されている電線挿入空間が、第１電線挿入空間２５及び第２電線挿入空間２７に対応し、本発明に記載されている接点部が、接点部１４に対応し、本発明に記載されている導体部が、第２導体部１３に対応している。また、本発明に記載されている端子板が、端子板９に対応し、本発明に記載されている弾性部材が、第１板ばね７及び第２板ばね８に対応し、本発明に記載されている接触防止部が、第１内壁１９の端部１９ａ及び第２内壁２０の端部２０ａに対応している。
【００３０】
次に、図１０を参照し、図９（ｂ）で示したカラー３９ａ付きのフェルール３９ｂが先端に圧着されている電線３９を、カバー蓋体３１の電線挿入口３２ａの小径孔３４から挿入した状態を説明する。
小径孔３４に電線３９が差し込まれると、フェルール３９ｂに押されて第１板ばね７の曲げ部７ｂが弾性変形していく。そして、フェルール３９ｂの先端が第１内壁１９の端部１９ａに当接したときに、第１板ばね７の弾性力によってフェルール３９ｂが接点部１４側に押し付けられ、且つ、引き抜き方向の変位が抑制された状態で、端子板９に電気的に接続される。
【００３１】
この際、電線３９のフェルール３９ｂの先端は第１内壁１９の端部１９ａに当接し、端子板９の第２導体部１３には接触しない。
ここで、電線３９のカラー３９ａの挿入方向の面は小径孔３４のテーパ面３７に係合していない。
また、図示しないが、図９（ａ）で示したカラー３８ａ付きのフェルール３８ｂが先端に圧着されている電線３８を、電線挿入口３２ａの小径孔３４から挿入した場合にも、第１板ばね７の弾性力によってフェルール３８ｂが接点部１４側に押し付けられ、且つ、引き抜き方向の変位が抑制された状態で、端子板９に電気的に接続される。そして、電線３８のフェルール３８ｂの先端は第１内壁１９の端部１９ａに当接し、端子板９の第２導体部１３には接触しない。
【００３２】
また、図９（ｃ）で示したカラー付きのフェルールが装着されていない銅製の電線４０を、電線挿入口３２ａの小径孔３４から挿入した場合にも、第１板ばね７の弾性力によって先端側が接点部１４側に押し付けられ、且つ、引き抜き方向の変位が抑制された状態で、端子板９に電気的に接続される。そして、電線４０の先端は第１内壁１９の端部１９ａに当接し、端子板９の第２導体部１３には接触しない。
また、電線挿入口３２ａの大径孔３５及び他の電線挿入口３２ｂ，３２ｃから、図９で示した電線３８〜４０を差し込んでも、同様にそれら電線が端子板９に電気的に接続されるとともに、それら電線の先端は第１内壁１９の端部１９ａ、第２内壁２０の端部２０ａに当接するので、端子板９の第２導体部１３には接触しない。
【００３３】
次に、第１実施形態の作用効果について説明する。
第１実施形態の端子ブロック１０を構成している第１ブロック１５〜第３ブロック１７には、第１電線挿入空間２５を形成する第１内壁１９の端部１９ａが形成され、第２電線挿入空間２７を形成する第２内壁２０の端部２０ａが形成されている。これら端部１９ａ，２０ａは、電線挿入口３２ａ〜３２ｃから挿入された電線の先端が端子板９の第２導体部１３に接触するのを妨げているので、電線の先端と第２導体部１３との接触による溶着のおそれを確実に防止することができる。
【００３４】
しかも、電線は、先端にカラー付きのフェルールを圧着した電線（図９で示した電線３８，３９）、電線の先端にカラーが無いフェルールを圧着したもの、或いは先端にカラーやフェルールが装着されていない直の電線（図９の電線４０）、さらには定格電流の違いによって異なる線径の電線を使用することが可能である。したがって、複数種類の電線を使用する回路遮断器１に最適な配線用接続器具２ａ，２ｂである。
また、電線の先端と第２導体部１３との接触を防止するための部品を新たに設けるのではなく、端子ブロック１０の一部（第１電線挿入空間２５を形成する第１内壁１９の端部１９ａ、第２電線挿入空間２７を形成する第２内壁２０の端部２０ａ）で構成されているので、部品単価の低減化も図ることができる。
【００３５】
なお、本実施形態では、回路遮断器１への適用について説明したが、これに限定されるものではない。他にも、電気機器である電磁接触器や、付属装置である端子台式の補助スイッチ、また端子台式の警報スイッチ等にも適用できる。要は、電線挿入口から挿入された電線を弾性部材の弾性力で接点部に押し付けて電気的に接続する構造のものであれば、他の如何なる電気機器や付属装置にも適用可能である。
以上、限られた数の実施形態を参照しながら説明したが、権利範囲はそれらに限定されるものではなく、上記の開示に基づく実施形態の改変は、当業者にとって自明のことである。
【符号の説明】
【００３６】
１  回路遮断器
２ａ，２ｂ  配線用接続器具
３  レバー開口部
４  操作レバー
５  端子カバー
６  端子モジュール
７  第１板ばね
７ａ  固定部
７ｂ  曲げ部
７ｃ  電線保持部
８  第２板ばね
８ａ  固定部
８ｂ  曲げ部
８ｃ  電線保持部
９  端子板
１０  端子ブロック
１１  ねじ接続部
１１ａねじ孔
１２  第１導体部
１３  第２導体部
１４  接点部
１５〜１７  第１〜第３ブロック
１８  仕切り壁
１９  第１内壁
１９ａ  平面形状の端部
２０  第２内壁
２０ａ  平面形状の端部
２１  第１ばね装着孔
２２  第２ばね装着孔
２３  接点部装着孔
２４ａ，２４ｂ  ばね支持部
２５  第１電線挿入空間
２６ａ，２６ｂ  ばね支持部
２７  第２電線挿入空間
３０  カバー本体
３１  カバー蓋体
３２ａ〜３２ｃ  電線挿入口
３３  隔壁
３４  小径孔
３５  大径孔
３６  工具挿通孔
３７  テーパ面
３８，３９，４０  電線
３８ａ，３９ａ  カラー
３８ｂ，３９ｂ  フェルール  
【図１】
2019216032.tif 000003
【図２】
2019216032.tif 000004
【図３】
2019216032.tif 000005
【図４】
2019216032.tif 000006
【図５】
2019216032.tif 000007
【図６】
2019216032.tif 000008
【図７】
2019216032.tif 000009
【図８】
2019216032.tif 000010
【図９】
2019216032.tif 000011
【図１０】
2019216032.tif 000012
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
電気機器の端子部に着脱自在に接続する配線用接続器具であって、
内部に収納空間を設け、外部から前記収納空間に電線を挿入する電線挿入口を設けた外装部材と、
電気絶縁体で形成され、前記外装部材の前記収納空間に配置され、前記電線挿入口から挿入された前記電線が位置する電線挿入空間を設けた端子ブロックと、
前記端子ブロックに組付けられ、前記電線挿入空間に配置されて前記電線が挿入される方向に沿って配置された接点部と、前記接点部に接続され電線挿入口から挿入された前記電線の先端側に位置している導体部と、前記導体部に接続され前記電気機器の前記端子部に着脱自在に接続される端子部側接続部と、を有する端子板と、
前記端子ブロックに組付けられて前記電線挿入空間に配置され、前記電線挿入口から挿入された電線を弾性力で前記接点部に押し付けて前記端子板に電気的に接続する弾性部材と、
電気絶縁体で形成され、前記電線挿入口から挿入された前記電線の先端が前記端子板の前記導体部に接触するのを防止する接触防止部と、を備え、
前記端子部側接続部はねじ接続部であり、前記電気機器に設けられたねじ端子にねじ固定で接続されており、
前記外装部材は、前記ねじ端子を覆う端子カバーを有することを特徴とする配線用接続器具。
【請求項２】
前記接触防止部は、前記端子ブロックに一体に形成された部位であり、前記電線挿入口側を向いている前記導体部の面を覆うように配置されていることを特徴とする請求項１記載の配線用接続器具。
【請求項３】
前記接触防止部は、前記端子ブロックの前記電線挿入空間を形成する内壁であることを特徴とする請求項１又は２記載の配線用接続器具。
【請求項４】
請求項１から請求項３の何れか一項に記載の配線用接続器具を備えていることを特徴とする電気機器。
【請求項５】
請求項１から請求項３の何れか一項に記載の配線用接続器具を備えていることを特徴とする回路遮断器。
【手続補正３】
【補正対象書類名】明細書
【補正対象項目名】０００６
【補正方法】変更
【補正の内容】
【０００６】
したがって、電気機器のケースの電線挿入口に特定のカラーに対応したテーパ面を形成したとしても、複数種類の電線の先端を導体部に接触しない構造とするのは不可能である。
そこで、本発明は、複数種類の電線（線径が異なる、先端にカラー付きのフェルールを圧着したもの、先端にカラー無しのフェルールを圧着したもの、直の電線）を電線挿入口から挿入しても、それらの電線の先端を端子板の導体部に接触するのを防止することができる配線用接続器具、電気機器及び回路遮断器を提供する。
【手続補正４】
【補正対象書類名】明細書
【補正対象項目名】０００７
【補正方法】変更
【補正の内容】
【０００７】
上記目的を達成するために本発明に係る配線用接続器具は、電気機器の端子部に着脱自在に接続する配線用接続器具であって、内部に収納空間を設け、外部から前記収納空間に電線を挿入する電線挿入口を設けた外装部材と、電気絶縁体で形成され、外装部材の前記収納空間に配置され、電線挿入口から挿入された前記電線が位置する電線挿入空間を設けた端子ブロックと、端子ブロックに組付けられ、電線挿入空間に配置されて電線が挿入される方向に沿って配置された接点部と、接点部に接続され電線挿入口から挿入された電線の先端側に位置している導体部と、導体部に接続され電気機器の端子部に着脱自在に接続される端子部側接続部と、を有する端子板と、端子ブロックに組付けられて電線挿入空間に配置され、電線挿入口から挿入された電線を弾性力で接点部に押し付けて端子板に電気的に接続する弾性部材と、電気気絶縁体で形成され、電線挿入口から挿入された電線の先端が端子板の導体部に接触するのを防止する接触防止部と、を備え、端子部側接続部はねじ接続部であり、電気機器に設けられたねじ端子にねじ固定で接続されており、外装部材は、前記ねじ端子を覆う端子カバーを有する。
【手続補正５】
【補正対象書類名】明細書
【補正対象項目名】０００８
【補正方法】変更
【補正の内容】
【０００８】
また、本発明に係る電気機器は、前記配線用接続器具を備えている。
【手続補正６】
【補正対象書類名】明細書
【補正対象項目名】００１０
【補正方法】変更
【補正の内容】
【００１０】
本発明に係る配線用接続器具、電気機器及び回路遮断器によれば、電気絶縁体で形成され、電線挿入口から挿入された電線の先端が端子板の導体部に接触するのを防止する接触防止部が配置されているので、線径が異なる電線、先端にカラー付きのフェルールを圧着した電線、先端にカラー無しのフェルールを圧着した電線、直電線などを電線挿入口から挿入しても、それらの電線の先端と端子板の導体部とが接触するのを防止することができる。したがって、通電時における電線の先端及び導体部の溶着などを確実に防止することができる。